(57)【特許請求の範囲】
【請求項１】
内部で拡散工程を施す反応管と、
前記反応管の内部でウェーハがローディングされたボートを支持するキャップと、
前記キャップを支持し、拡散工程時前記ボートを前記反応管内に装着するため移動するフランジと、
前記反応管内に反応ガスを流入する反応ガス流入口と、
拡散工程時余分の反応ガスを排出する反応ガス排気口とを含む縦型拡散炉において、
前記反応ガス排気口は前記フランジの下端中央に形成され、前記キャップの上部及び側面には前記反応管内の反応ガスを前記反応ガス排気口に連結させる第１及び第２ホールがそれぞれ形成されたことを特徴とする縦型拡散炉。
【請求項２】
前記キャップは、前記ボートを支持し、前記第２ホールが形成された上部、反応ガス開口部が連結された下部、前記上部に隣接し側面に前記第１ホールが形成された第１円筒部と、前記下部に隣接した第２円筒部、及び前記第１円筒部と前記第２円筒部との間に挟まれた制御板を持ち、前記制御板は前記第１円筒部と前記第２円筒部との反応ガスの流れを許す制御ホールを有することを特徴とする請求項１に記載の縦型拡散炉。
【請求項３】
前記フランジが前記反応管内に上昇した時、前記反応ガス排気口と連結され接合される排気ポートをさらに含むことを特徴とする請求項１に記載の縦型拡散炉。
【発明の詳細な説明】
【０００１】
【発明の属する技術分野】
本発明は縦型拡散炉に係り、特に反応ガス排気口の影響による拡散工程の不均一性を最少化した縦型拡散炉に関する。
【０００２】
【従来の技術】
半導体装置の高集積化により個別素子の大きさは小さくなるが、容量の増加により半導体装置のチップの大きさは増加している趨勢である。従って、半導体装置の製造に用いられるウェーハは半導体装置のコストを減少させ、生産性を増加させるために大口径化されており、このような趨勢はこれからも続く見込みである。従って、半導体装置を製造する製造装備も大口径のウェーハの使用ができるよう変化している。特に、半導体装置の製造に必須的な装備である拡散炉の場合には、ウェーハの大口径化により横型拡散炉から縦型拡散炉へと変わりつつある。
【０００３】
それでは、従来の縦型拡散炉について詳細に説明する。
第１図は半導体装置の製造のために用いられる従来の縦型拡散炉を示す断面図である。
【０００４】
詳しく説明すると、従来の縦型拡散炉は垂直方向に設けられた反応管１の内に位置したボート３に５０〜１００枚までのウェーハ５がローディングされる。拡散工程を進行するためにウェーハ５のローディングされたボート３は前記ボート３の下方に位置したキャップ７によって支持され、前記ボート３と前記キャップ７は前記キャップ７の下段に位置したフランジ９によって前記反応管１の内に装着される。
【０００５】
拡散工程時、反応ガス流入口１１を通じて前記反応管１内に供給された反応ガスは前記第１図に示された矢印のように流れる。この際、前記反応管１の内に流入された反応ガスは前記反応管１の内で拡散されて前記ウェーハ５の表面で反応し、余分の反応ガスは前記反応管１の下段側面に位置した反応ガス排気口１３を通じて排出される。
【０００６】
ところが、従来の縦型拡散炉で前記反応ガス排気口は固定した前記反応管の下段側面に固定されていて管理が容易な長所があるが、前記反応ガス排気口の位置が前記反応管の内部で反応ガスの流れを不均一にする。その結果、前記反応ガス排気口の近くに位置したウェーハは排気の影響によって工程の均一度が劣化する結果をもたらす。
【０００７】
即ち、前記反応管の下部で工程の進行されたウェーハは前記反応管の上部で工程の進行されたウェーハに比べ均一度が劣化し、前記反応管の下部にウェーハをローディングしないと設備効率を低下させる結果になる。
【０００８】
【発明が解決しようとする課題】
本発明は反応ガス排気口による反応管内の工程の不均一性を最少化して設備の効率を向上させ得る縦型拡散炉を提供することを目的とする。
【００１０】
【課題を解決するための手段】
内部で拡散工程を施す反応管と、前記反応管の内部でウェーハがローディングされたボートを支持するキャップと、前記キャップを支持し、拡散工程時前記ボートを前記反応管内に装着するため移動するフランジと、前記反応管内に反応ガスを流入する反応ガス流入口と、拡散工程時余分の反応ガスを排出する反応ガス排気口とを含む縦型拡散炉において、前記反応ガス排気口は前記フランジの下端中央に形成され、前記キャップの上部及び側面には前記反応管内の反応ガスを前記反応ガス排気口に連結させる第１及び第２ホールがそれぞれ形成されたことを特徴とする縦型拡散炉を提供する。
【００１１】
望ましくは、前記キャップは、前記ボートを支持し、前記第２ホールが形成された上部、反応ガス開口部が連結された下部、前記上部に隣接し側面に前記第１ホールが形成された第１円筒部と、前記下部に隣接した第２円筒部、及び前記第１円筒部と前記第２円筒部との間に挟まれた制御板を持ち、前記制御板は前記第１円筒部と前記第２円筒部との反応ガスの流れを許す制御ホールを有することが望ましい。
【００１２】
望ましくは、前記フランジが前記反応管内に上昇した時、前記反応ガス排気口と連結され接合される排気ポートをさらに含むことが好ましい。
【００１３】
【発明の実施の形態】
以下、添付した図面に基づき本発明の実施例を詳細に説明する。
第２図は本発明によって反応ガス排気口をキャップの下部に設けられた縦型拡散炉を示す断面図である。
【００１４】
本発明の縦型拡散炉で垂直方向に設けられた反応管２１内でウェーハ２５のローディングされたボート２３は前記ボート２３の下方に位置したキャップ２７によって支持され、前記ボート２３と前記キャップ２７は前記キャップ２７の下段に位置したフランジ２９によって前記反応管２１の内に装着される。
【００１５】
拡散工程時、反応ガス流入口３１を通して前記反応管２１の内に流入された反応ガスは前記反応管２１内で拡散されて前記ウェーハ２５の表面で反応し、余分の反応ガスは前記反応管２１の下段をふさいでいる前記フランジ２９の下方に位置した反応ガス排気口３３を通して排出される。この際、前記反応ガス排気口３３は前記キャップ２７の下部に設けられている。
【００１６】
本発明による縦型拡散炉は従来とは異なり前記反応ガス排気口が前記フランジの中心に位置していて全体的な構造が対称形をなしている。従って、拡散工程時、前記反応管内で反応ガスの流れは前記第２図に示された矢印と同じ方向に流れてすべての方向で均一になり工程の均一性が従来に比べ向上される。
かつ、拡散工程の均一度が確保できて、従来のように反応ガス排気口によって発生する設備の生産効率減少を防止することができる。
なお、本発明の縦型拡散炉に用いられるキャップは前記反応管内で反応ガスの流れを均一に保つためにその構造が変更されている。
【００１７】
第３図は本発明の縦型拡散炉で工程の均一度を増加させるためのキャップを示す図面である。
詳しくは、縦型拡散炉で用いられるキャップはボートを支持する部分である上部４１とフランジに接触する部分である下部４３との間に円筒形の通路につながれる第１円筒部４５及び第２円筒部４７がある。この際、前記第１円筒部４５及び第２円筒部４７はそれぞれ前記上部４１及び前記下部４３に隣接しており、前記第１円筒部４５と前記第２円筒部４７との間にはキャップの内部で反応ガスの流れを制御する制御板４９が挟まれている。
【００１８】
従来の場合には反応ガスの流れを遮断するために前記制御板４９は前記第１円筒部４５と前記第２円筒部４７との間を遮る役割を果たしたが、本発明では反応管内で反応ガスの均一度を向上させるため前記第１円筒部４５と前記第２円筒部４７との間に挟まれた前記制御板４９はすべて反応ガスの流れを許す制御ホール５１を有しており、各制御板４９に形成された前記制御ホール５１は工程の均一度を高めるために個数と大きさを調節することができる。
かつ、前記第１円筒部４５の側壁にも２個以上の第１ホール４６を形成したり、前記上部４１には１個以上の第２ホール４２を形成して反応管内の反応ガスが前記第１円筒部４５の内部に流入されうる。前記下部４３には下方に反応ガス開口部５３が形成されているので反応ガスを排出することができる。
ところが、従来の場合反応管に形成された反応ガス排気口は固定されているので、前記反応ガス排気口を固定した排気ポートに連結することが容易である。
【００１９】
しかしながら、本発明により反応ガス排気口を前記キャップに形成する場合、拡散工程を施すためウェーハがローディングされたボートを反応管内に移動する間、前記反応ガス排気口は前記フランジと共に垂直移動をするようになる。従って、移動する前記反応ガス排気口を固定した排気ポートにつなげる方法が必要である。
【００２０】
第４図及び第５図は本発明により形成された縦型拡散炉で反応ガス排気口を外部の排気ポートに連結する方式を概略的に示す図面である。
【００２１】
第４図を参照すると、ボート６１とキャップ６３は前記キャップ６３の下段に位置したフランジ６７によって垂直上下運動をし、反応ガス排気口６９も共に移動するようになる。従って、固定した外部の排気ポート７１と前記反応ガス排気口６９を連結する排気ライン７３は流動可能な材料、例えば、テフロンやＰＶＣ等で製作して、前記反応ガス排気口６９の上下垂直移動ができるように作られる。
【００２２】
他の方法では、第５図を参照すれば、拡散工程を行うためにフランジ６７が上昇して反応管７５に固定される場合のみ反応ガス排気口８１が外部の排気ポート８３に連結され、前記フランジ６７が前記反応菅７５から離れると前記反応ガス排気口８１と排気ポート８３が連結されない構造を用いるのである。この際、前記反応ガス排気口８１は前記フランジ６７の垂直移動によって前記排気ポート８３と一致する部分の前記反応ガス排気口８１を漏斗状に形成して前記反応ガス排気口８１と前記排気ポート８３との連結を容易にする。前記反応ガス排気口８１が前記排気ポート８３に連結される場合に容易に固定し、破損を防止するために連結時、前記排気ポート８３が押される方向にばねを取り付ける。第４図及び第５図で説明した方法を用いて本発明による縦型拡散炉で前記反応ガス排気口と排気ポートを容易に連結することができる。
【００２３】
以上、実施の形態を通して本発明を具体的に説明したが、本発明はこの実施の形態に限らず、本発明の技術的思想内において当分野での通常の知識として変更や改良が可能である。
【００２４】
【発明の効果】
本発明による縦型拡散炉は、半導体装置の集積度増加によってウェーハの大口径化に対応し拡散工程の均一度を優秀に維持できるので、従来のように反応ガス排気口によって発生する設備の生産効率の低下を防止することができる。
【図面の簡単な説明】
【図１】  半導体装置の製造のために用いられる従来の縦型拡散炉を示す断面図である。
【図２】  本発明によって反応ガス排気口をキャップの下部に設置した縦型拡散炉を示す断面図である。
【図３】  前記第２図の縦型拡散炉に用いられる本発明のキャップを示す図面である。
【図４】  本発明によって形成された縦型拡散炉で反応ガス排気口を外部の排気ポートに連結する方式を概略的に示す図面である。
【図５】  本発明によって形成された縦型拡散炉で反応ガス排気口を外部の排気ポートに連結する方式を概略的に示す図面である。
【符号の説明】
１，２，７５…反応管、
３，２３，６１…ボート、
５，２５…ウェーハ、
７，２７，６３…キャップ、
９，２９，６７…フランジ、
１１…反応ガス流入口、
１３，３３，６９，８１…反応ガス排気口、
４１…上部、          ４２…第２ホール、
４３…下部、          ４５…第１円筒部、
４７…第２円筒部、    ４９…制御板、
５１…制御ホール、    ５３…開口部、
７１，８３…排気ポート、
７３…排気ライン。
【図１】
0003971810.tif 000002
【図２】
0003971810.tif 000003
【図３】
0003971810.tif 000004
【図４】
0003971810.tif 000005
【図５】
0003971810.tif 000006